(57)【要約】【課題】連結用の部品を別途設けることなく、縦枠の横方向への変形を防止して、縦枠とガイドレールとの係合を強固にできるシャッターを提供すること。【解決手段】シャッター１の縦枠１３は、窓縦枠２に取り付けられる取付部１５と、取付部１５の左右側の端部から屋外側へそれぞれ突出する第１突出部３１および第２突出部３２とを備える断面コ字状に形成されている。縦枠１３の屋外側には、ガイドレール２８が取り付けられている。第２突出部３２の内側には、第２突出部３２を下枠１２に縦方向にビス止めするためのビスホール３２Ｘが形成されている。【選択図】図３
2006241687.tif 000002
【特許請求の範囲】
【請求項１】
上枠、下枠、および左右の縦枠を有する枠体と、前記枠体に設置され、シャッターカーテンが巻回される駆動部を有するシャッター本体とを備えるシャッターであって、
前記縦枠は、窓縦枠に取り付けられる取付部と、前記取付部から屋外側へ突出し、その長手方向に延びるビスホールが形成された突出部とを備え、
前記突出部の先端部には、前記シャッターカーテンの端部を案内するための開口が形成された断面コ字形のガイドレールが設けられ、
前記縦枠は、前記下枠を貫通して前記ビスホールに螺着されるビスで前記下枠と縦方向に螺着されていることを特徴とするシャッター。
【請求項２】
前記突出部は、前記取付部から屋外側へ一対に形成され、前記ビスホールは、前記一対の突出部のうちの内側の突出部に形成されていることを特徴とする請求項１に記載のシャッター。
【請求項３】
前記シャッター本体は、ブラケットを介して前記枠体に取り付けられ、
前記ビスホールを介して、前記縦枠と前記ブラケットとが縦方向に螺着されていることを特徴とする請求項１または２に記載のシャッター。
【請求項４】
前記ガイドレールには、前記突出部の先端部に係合する係合片が形成され、
前記先端部には、前記係合片と螺着するために肉盛部が形成され、
前記ビスホールは、前記肉盛部と一体的に形成されていることを特徴とする請求項１〜３のいずれかに記載のシャッター。
【請求項５】
上枠、下枠、および左右の縦枠を有する枠体と、前記枠体に設置され、シャッターカーテンが巻回される駆動部を有するシャッター本体とを備えるシャッターであって、
前記縦枠は、窓縦枠に取り付けられる取付部と、前記取付部から屋外側へ突出する突出部とを備え、
前記突出部の先端部には、前記シャッターカーテンの端部を案内するための開口が形成された断面コ字形のガイドレールが設けられ、
前記ガイドレールには、その長手方向に延びるビスホールが形成され、
前記ガイドレールは、前記下枠を貫通して前記ビスホールに螺着されるビスで前記下枠と縦方向に螺着されていることを特徴とするシャッター。
【発明の詳細な説明】
【技術分野】
【０００１】
本発明は、シャッターに関し、特に、縦枠の横方向への変形を防止して、縦枠とガイドレールとの係合を強固にできるシャッターに関する。
【背景技術】
【０００２】
近年、窓の屋外側には、シャッターが取り付けられる場合がある。このようなシャッターは、上枠、下枠、および左右の縦枠を有する枠体と、枠体に設置され、シャッターカーテンが巻回された駆動部を有するシャッター本体とを備えている。例えば、特許文献１では、同文献の図１に示すように、枠体の縦枠に相当する外枠は、その屋外側が開口した断面コ字状に形成されている。前記外枠は、下枠に取り付けられた合成樹脂製またはアルミダイカスト製の連結用の部品である下枠キャップ（同図の符号２２）を介して前記下枠に取り付けられる。具体的には、前記下枠キャップの嵌合部に形成された螺子孔（同図の符号２９）と、前記外枠の少なくとも一方の側壁（内側の突出部）とを重ね合わせ締結螺子（同図の符号３１）で、横方向へと貫通させることにより連結している。さらに、縦枠の開口部分には、ビス部分からの漏水防止や防犯上の観点から、ビスの頭部を隠すように、シャッターカーテンの端部を案内する断面コ字状のガイドレールが係合するように取り付けられている。
【特許文献１】特許第３１６２９１１号公報
【発明の開示】
【発明が解決しようとする課題】
【０００３】
しかしながら、外枠における内側の突出部と下枠とを横方向に貫通する部材で連結しているだけであるため、例えば、全閉状態のシャッターカーテンに対して外部から負圧の風圧が掛かった場合には、シャッターカーテンの中央部分が屋外側へと引っ張られることにより、シャッターカーテンの端部が横方向内側へ引っ張られる。このため、外枠における内側の突出部が内側へと引っ張られて横方向へ変形することにより、外枠とガイドレールの係合が外れる場合がある。また、連結用の部品を介して、下枠と縦枠とを連結することにより、部品点数が多くコスト高になるとともに、シャッターの取り付け作業が煩雑になるという問題もある。
【０００４】
本発明の目的は、連結用の部品を別途設けることなく、縦枠の横方向への変形を防止して、縦枠とガイドレールとの係合を強固にできるシャッターを提供することにある。
【課題を解決するための手段】
【０００５】
本発明は、上枠、下枠、および左右の縦枠を有する枠体と、前記枠体に設置され、シャッターカーテンが巻回される駆動部を有するシャッター本体とを備えるシャッターであって、前記縦枠は、窓縦枠に取り付けられる取付部と、前記取付部から屋外側へ突出し、その長手方向に延びるビスホールが形成された突出部とを備え、前記突出部の先端部には、前記シャッターカーテンの端部を案内するための開口が形成された断面コ字形のガイドレールが設けられ、前記縦枠は、前記下枠を貫通して前記ビスホールに螺着されるビスで前記下枠と縦方向に螺着されていることを特徴とする。
【０００６】
本発明によれば、縦枠に長手方向に延びるビスホールを形成し、このビスホールを介して縦枠と下枠とをビスで縦方向に螺着する構成としたので、仮に、シャッターカーテンの端部に対して内側へ引っ張るような力が作用したとすると、これに伴ってガイドレールも内側へと引っ張られることとなるが、縦枠が下枠に固定されているため、縦枠を構成する突出部が横方向へ変形することを防止でき、縦枠とガイドレールとの係合を強固にできる。また、前述したように、下枠と縦枠との連結部品を別途用意する必要がないため、コストを抑えることができ、シャッターの取り付けも容易となる。さらに、取付部を窓縦枠にビス止めする際のビスの頭部がガイドレールで覆われるため、防水や防犯の点で有利である。
【０００７】
ここで、前記突出部は、前記取付部から屋外側へ一対に形成され、前記ビスホールは、前記一対の突出部のうちの内側の突出部に形成されていてもよい。このような構成によれば、内側の突出部にビスホールを形成したので、仮に、シャッターカーテンの端部に内側へと引っ張るような力が作用しても、内側の突出部が下枠に固定されているため、内側の突出部の横方向への変形を確実に防止できる。
【０００８】
また、前記シャッター本体は、ブラケットを介して前記枠体に取り付けられ、前記ビスホールを介して、前記縦枠と前記ブラケットとが螺着されていてもよい。このような構成によれば、下枠に加えてブラケットにも縦枠が縦方向に螺着されるため、縦枠の変形をより一層防止できる。
【０００９】
また、前記ガイドレールには、前記突出部の先端部に係合する係合片が形成され、前記先端部には、前記係合片と螺着するために肉盛部が形成され、前記ビスホールは、前記肉盛部と一体的に形成されていてもよい。このような構成によれば、肉盛部とビスホールを一体的に形成されるため、縦枠の剛性をより一層向上できる。
【００１０】
本発明は、上枠、下枠、および左右の縦枠を有する枠体と、前記枠体に設置され、シャッターカーテンが巻回される駆動部を有するシャッター本体とを備えるシャッターであって、前記縦枠は、窓縦枠に取り付けられる取付部と、前記取付部から屋外側へ突出する突出部とを備え、前記突出部の先端部には、前記シャッターカーテンの端部を案内するための開口が形成された断面コ字形のガイドレールが設けられ、前記ガイドレールには、その長手方向に延びるビスホールが形成され、前記ガイドレールは、前記下枠を貫通して前記ビスホールに螺着されるビスで前記下枠と螺着されていることを特徴とする。
【００１１】
本発明によれば、ガイドレールに長手方向に延びるビスホールを形成し、ビスホールを介してガイドレールと下枠とをビスで縦方向に螺着する構成としたので、仮に、シャッターカーテンの端部に対して内側へ引っ張るような力が作用したとしても、ガイドレールが下枠に固定されていることにより、ガイドレールの横方向への変形を防止できる。このため、横方向への縦枠の変形も防止でき、縦枠とガイドレールとの係合を強固にできる。また、従来のように、下枠と縦枠との間に連結するための部品を別途用意する必要がないため、部材点数が減少してコストを抑えることができるとともに、シャッターの取り付けも容易となる。さらに、縦枠を構成する突出部の先端部にガイドレールを設けたので、例えば、取付部を窓縦枠にビス止めする際に、ガイドレールによって当該ビスの頭部が外部へ露出するのを防止でき、防水や防犯の点で有利である。
【発明の効果】
【００１２】
本発明のシャッターによれば、連結用の部品を別途設けることなく、縦枠の横方向への変形を防止して、縦枠とガイドレールとの係合を強固にできるという効果がある。
【発明を実施するための最良の形態】
【００１３】
本発明の一実施形態に係るシャッターについて、図面を参照して説明する。
図１は、本実施形態に係るシャッター１を示す縦断面図である。図２は、シャッター１を示す横断面図である。図１，図２に示すように、シャッター１は、枠体１０と、枠体１０の上部に設けられるシャッター本体２０とを備えている。枠体１０は、上枠１１と、下枠１２と、左右の縦枠１３とを備えている。シャッター本体２０は、シャッターカーテン２２と、シャッターカーテン２２の巻き上げ下げを行う駆動部２４とを備えている。
【００１４】
図２に示すように、縦枠１３は、窓縦枠２に取り付けられる取付部１５と、取付部１５の左右側の端部から屋外側（図２上側）へそれぞれ突出する２つの突出部１６とを備える断面コ字状に形成され、縦枠１３の屋外側が開口している。取付部１５は、縦枠１３の開口側からビス１７により窓縦枠２に取り付けられている。また、縦枠１３の屋外側にはガイドレール２８が設けられている。
【００１５】
図３は、図２の右側部分を拡大して示す横断面図である。図３に示すように、２つの突出部１６は、外側端部に形成された第１突出部３１と、内側端部に形成された第２突出部３２とを備えている。第１突出部３１の先端には、係合片３１Ａが形成されている。第２突出部３２は、途中で内側に曲折するクランク状に形成され、その曲折部分の内側にビスホール３２Ｘが形成されている。また、第２突出部３２の先端部３２Ａは、ビス止めするために肉盛部３２Ｂが形成されている。
【００１６】
図４は、下枠１２と縦枠１３との接合部分を拡大して示す分解斜視図である。図５は、図４に示す各部材を組み立てた状態を示す斜視図である。図４，図５に示すように、縦枠１３の第１突出部３１は、その下側で下枠１２の端部とビス３３により横方向にビス止めされている。また、第２突出部３２は、そのビスホール３２Ｘにおいてビス３４により下枠１２と縦方向にビス止めされている。このような構成により、各突出部３１，３２の横方向への剛性がそれぞれ高められている。このため、仮に、第２突出部３２に対して横方向への力が作用したとしても、横方向に変形することが防止されている。
【００１７】
図６は、縦枠とブラケットとの取り付け部分を説明するための分解斜視図である。図６に示すように、縦枠１３の第１突出部３１は、その上端が上方へと延びた延出部３５が形成されており、この延出部３５には、シャッター本体２０を取り付けるためのブラケット５０がビス止めされている。ブラケット５０は、延出部３５に当接しビス６０により取り付けられる板体５１と、板体５１の上下端部がそれぞれ略直角に曲折した曲折部５２とにより構成されている。下側の曲折部５２にはビス孔５２Ａが形成され、ビス孔５２Ａと第２突出部３２の上端に形成されたビスホール３２Ｘとの間に縦方向にビス７０が挿通され、第２突出部３２の上部がブラケット５０と縦方向に固定されている。これにより、第２突出部３２の上部側における横方向への剛性が高められている。
【００１８】
図３に戻って、ガイドレール２８は、断面コ字状に形成され、開口した部分でシャッターカーテン２２の左右側の端部を上下方向に案内している。ガイドレール２８の屋内側面には、第１係合片２８Ａと、第２係合片２８Ｂとが形成されている。第１係合片２８Ａは、ガイドレール２８の屋内側面における外側端部から屋内側へとＬ字状に突出し、縦枠１３の第１突出部３１の係合片３１Ａと係合する。また、第２係合片２８Ｂは、ガイドレール２８の屋内側面から屋内側へ突出し、縦枠１３の第２突出部３２の先端部３２Ａに係合し、この係合部分でビス２９により連結されている。このようにして、縦枠１３にガイドレール２８が取り付けられている。
【００１９】
また、ガイドレール２８の内側には、係合片２８Ｘが形成されている。係合片２８Ｘは、シャッターカーテン２２が横方向に引っ張られた際に、シャッターカーテン２２の端部に設けられた係合部２２Ａに係合して、シャッターカーテン２２がガイドレール２８から脱離するのを防止している。つまりシャッターカーテン２２に対して、図３の矢印Ｘに示すような屋外側へと引っ張るような圧力が作用した場合には、シャッターカーテン２２の中央部分が屋外側へと膨らむように引っ張られることにより、矢印Ｙに示すようにシャッターカーテン２２の端部が横方向内側（図中の左側）へ引っ張られる。すると、係合部２２Ａと係合片２８Ｘとが係合して、ガイドレール２８からシャッターカーテン２２が簡単には外れないようになっている。
【００２０】
また、より強い力でシャッターカーテン２２の端部が横方向内側へ引っ張られた場合には、矢印Ｙに示す横方向へガイドレール２８が引っ張られるとともに、このガイドレール２８に伴って第２突出部３２も矢印Ｙに示す横方向へと引っ張られることになるが、第２突出部３２は、ビスホール３２Ｘにおいて下枠１２およびブラケット５０と縦方向にビス止めされているため、横方向への外力に十分に抵抗でき、その変形を抑えることができる。このため、ガイドレール２８の第１係合片２８Ａと第１突出部３１の係合片３１Ａとの係合が外れることを防止できる。
【００２１】
本実施形態によれば、以下のような効果がある。
(１)シャッターカーテン２２に屋外側へ引っ張るような強い力が作用して、シャッターカーテン２２、それに係合するガイドレール２８、さらに縦枠１３の第２突出部３２が横方向内側へ引っ張られたとしても、縦枠１３の第２突出部３２が下枠１２やブラケット５０と縦方向に固定されているため、第２突出部３２が横方向へ開くことを確実に防止できる。
【００２２】
(２)縦枠１３の第２突出部３２にビスホール３２Ｘを形成するだけで、例えば、縦枠１３と下枠１２とを連結するような別の部材を設ける必要がないから、コストを抑えることができるとともに、シャッター１の取り付け作業を簡単にすることができる。
【００２３】
(３)縦枠１３の開口部分を覆うようにガイドレール２８を取り付けているため、縦枠１３を窓縦枠２に取り付けるためのビスの頭部が開口部分から露出することを防止でき、防犯や防水等の点で有利である。
【００２４】
なお、本発明は、前記実施形態には限定されない。前記実施形態では、クランク状に形成された第２突出部３２の曲折部分にビスホール３２Ｘを形成したが、その形成位置は特に限定されない。例えば、図７に示すように、第２突出部３２の先端部３２Ａの肉盛部３２Ｂにビスホール１０１を一体的に形成してもよい。このような構成によれば、先端部３２Ａの肉盛部３２Ｂとビスホール１０１とが一体的に形成されるため、縦枠１３の剛性をより一層高めることができる。また、ガイドレール２８に近接する位置で第２突出部３２が下枠等に固定されるため、より一層第２突出部３２の変形を防止できる。また、図８に示すように、ガイドレール２８の例えば屋内側面に前記下枠と縦方向にビス止めされるビスホール１０２を形成してもよい。このような構成によれば、ガイドレール２８自体が内側横方向へ変形することを確実に防止できる。また、前記実施形態では、枠体１０の上側にさらに枠体を取り付けて「日」字状の構成とし、上側の空間内にシャッター本体２０を設置する構成としたが、これに限らず、例えば、矩形枠状の通常の枠体１０の上部にシャッター本体２０を載置する構成としてもよい。
【図面の簡単な説明】
【００２５】
【図１】本発明の実施形態に係るシャッターを示す縦断面図である。
【図２】シャッターを示す横断面図である。
【図３】図２の右側部分を拡大して示す横断面図である。
【図４】下枠と縦枠との接合部分を拡大して示す分解斜視図である。
【図５】図４に示す各部材を組み立てた状態を示す斜視図である。
【図６】縦枠とブラケットとの取り付け部分を説明するための分解斜視図である。
【図７】本発明の第１の変形例に係るシャッターを示す横断面図である。
【図８】本発明の第２の変形例に係るシャッターを示す横断面図である。
【符号の説明】
【００２６】
１      シャッター
１０      枠体
１１      上枠
１２      下枠
１３      縦枠
１５      取付部
１６      突出部
２０      シャッター本体
２２      シャッターカーテン
２４      駆動部
２８      ガイドレール
３１      第１突出部
３２      第２突出部
３２Ａ      先端部
３２Ｘ，１０１，１０２      ビスホール
３４，７０      ビス
５０      ブラケット
【図１】
2006241687.tif 000003
【図２】
2006241687.tif 000004
【図３】
2006241687.tif 000005
【図４】
2006241687.tif 000006
【図５】
2006241687.tif 000007
【図６】
2006241687.tif 000008
【図７】
2006241687.tif 000009
【図８】
2006241687.tif 000010